(57)【要約】【課題】  濡れている部分が多い場所や水圧を受ける場所にあっても、十分な吸着効果が得られるすべり止めシートを提供すること。【解決手段】  シート１に、該シート１の裏面から表面に向けて凸型となる第１の吸盤（小吸盤）２が複数設けられると共に、複数の第１の吸盤２の内側に、該シートの裏面において凹となりかつ該シートの表面において凸となる吸着突起体５が各々設けられる。第１の吸盤２及びその内側に形成された吸着突起体５の両者で吸着する。【選択図】          図１
0003116600.tif 000002
【実用新案登録請求の範囲】
【請求項１】
シートに、該シートの裏面から表面に向けて凸型となる第１の吸盤が複数設けられると共に、前記複数の第１の吸盤の内側に、該シートの裏面において凹となりかつ該シートの表面において凸となる吸着突起体が各々設けられたことを特徴とするすべり止めシート。
【請求項２】
前記シートに前記第１の吸盤よりも大きい径の第２の吸盤が複数設けられ、前記第２の吸盤が前記第１の吸盤の外側に形成されていることを特徴とする請求項１に記載のすべり止めシート。
【請求項３】
前記シートに前記第２の吸盤よりも大きい径の第３の吸盤が複数設けられ、前記第３の吸盤がその内側に前記第２の吸盤を複数個含んで形成されていることを特徴とする請求項２に記載のすべり止めシート。
【請求項４】
前記シートの裏面に、前記第２の吸盤の周囲から該第２の吸盤内に至る経路、並びに前記第３の周囲から該第３の吸盤内に至る経路に吸着解除用の溝が形成されていることを特徴とする請求項３に記載のすべり止めシート。
【請求項５】
前記シートの表面に、接着により多数の粒子が散設されることですべり止め面が形成されていることを特徴とする請求項１乃至４のうちのいずれか１つに記載のすべり止めシート。
【考案の詳細な説明】
【技術分野】
【０００１】
本考案は、滑りやすい場所に敷設するすべり止めシートに関する。
【背景技術】
【０００２】
日常生活において、例えば、通路、浴室、階段等の場所は滑りやすく、特に、老人並びに身障者は転倒事故を起しやすい。このような場所での転倒事故を防止するために、滑りやすい箇所にすべり止めとして吸盤シートが敷設される。従来の吸盤シートは、単独単層の吸盤がシートに複数個配置されているものであった。また、吸盤シートに対してマットを付設するものもあるが、マットを面ファスナー等で別途にシートに取り付けて一時固定するものであった。また、吸盤シートの敷設面からの取り外しに際しては、取り外し用にツマミやひもが付けられていた。
【考案の開示】
【考案が解決しようとする課題】
【０００３】
従来の吸盤シートは、吸盤が単独単層であるため、吸盤内に水や油等が少量介在しても滑りやすく吸着効果が薄れてしまうという問題があった。また、肘や足で押し付けられる部分の吸盤や、浴槽内に敷かれる場合には水圧を受ける吸盤は吸着力が劣るという問題があった。なお、浴室の床や浴槽の縁等は濡れている部分が多く、十分な吸着力をとる対策が必要である。また、シートに対してマットを安定させるための面ファスナーは、厚みが出てしまい躓きやすかった。さらに、吸盤シートの取り外し用のツマミやひもが歩行の邪魔になることがあった。
【０００４】
本考案が解決しようとする課題は、濡れている部分が多い場所や水圧を受ける場所にあっても、十分な吸着効果が得られるすべり止めシートを提供することにある。
【課題を解決するための手段】
【０００５】
本考案の請求項１に係るすべり止めシートは、上記課題を解決するために、シートに、該シートの裏面から表面に向けて凸型となる第１の吸盤が複数設けられると共に、前記複数の第１の吸盤の内側に、該シートの裏面において凹となりかつ該シートの表面において凸となる吸着突起体が各々設けられたことを特徴とする。
【０００６】
請求項２に係るすべり止めシートは、請求項１に係るものにおいて、前記シートに前記第１の吸盤よりも大きい径の第２の吸盤が複数設けられ、前記第２の吸盤が前記第１の吸盤の外側に形成されていることを特徴とするものである。また、請求項３に係るすべり止めシートは、請求項２に係るものにおいて、前記シートに前記第２の吸盤よりも大きい径の第３の吸盤が複数設けられ、前記第３の吸盤がその内側に前記第２の吸盤を複数個含んで形成されていることを特徴とするものである。
【０００７】
請求項４に係るすべり止めシートは、請求項３に係るものにおいて、前記シートの裏面に、前記第２の吸盤の周囲から該第２の吸盤内に至る経路、並びに前記第３の周囲から該第３の吸盤内に至る経路に吸着解除用の溝が形成されていることを特徴とするものである。請求項５に係るすべり止めシートは、請求項１乃至４のうちのいずれか１つに係るものにおいて、前記シートの表面に、接着により多数の粒子が散設されることですべり止め面が形成されていることを特徴とするものである。
【考案の効果】
【０００８】
本考案の請求項１に係るすべり止めシートによれば、上記構成であるため、第１の吸盤及びその内側に形成された吸着突起体の両者が吸着するので、濡れている部分が多い場所や水圧を受ける場所にあっても、十分な吸着効果を得ることができる。請求項２及び請求項３に係るすべり止めシートによれば、さらに吸着力を上げることができる。請求項４に係るすべり止めシートによれば、シートを捲ると、吸着解除用の溝を通じて外気が吸盤に入ることになるので、吸着力が解除され、容易にシートを取り外すことができる。また、吸盤シートの取り外し用のツマミやひもを不要とすることができ、これによる歩行の邪魔を解消できる。請求項５に係るすべり止めシートによれば、素足や靴履きによる接触の際にすべり止めとなる。また、シートに対して直接マットを安定させることができるため、面ファスナー等による厚みが出てしまうことがなく、躓きの原因にならない。
【考案を実施するための最良の形態】
【０００９】
図１は、本考案の実施形態に係るすべり止めシート１の平面図である。また、図２はすべり止めシートを床面に対して載せた状態を示す断面図である。さらに、図４は、吸盤吸着状態を示す拡大断面図である。すべり止めシート１の素材は、ゴム、ビニール等の合成ゴムなど、弾性復元力に富む素材を使用する。表面が柔らかで床面や壁面によく馴染んで密着し、静止摩擦力が得られる。すべり止めシート１には、該すべり止めシート１の裏面から表面に向けて凸型となる第１の吸盤（小吸盤）２、第１の吸盤よりも大きい径の第２の吸盤（中吸盤）３、第２の吸盤よりも大きい径の第３の吸盤（大吸盤）４がそれぞれ複数設けられている。また、すべり止めシート１には、図２に示すように、該すべり止めシート１の裏面１ｂにおいて凹となりかつ該すべり止めシート１の表面１ａにおいて凸となる吸着突起体５が多数設けられている（図４参照）。本考案のすべり止めシート１は、複数の第１の吸盤（小吸盤）２，２，…の各々の内側に、吸着突起体５が各々設けられていることを特徴とするものである。
【００１０】
また、中吸盤３は、複数個形成されている小吸盤２のうちの略半数の小吸盤２の外側に、小吸盤２と同心で形成されている。なお、小吸盤２と中吸盤３との間にも４個の吸着突起体５が設けられている。さらに、大吸盤４は、その内側に中吸盤３を４個含んで形成されている。なお、多数の吸着突起体５の中には、小吸盤２の内側、中吸盤３の内側、大吸盤４の内側のいずれにも属さず、単独で形成されているものもある。なお、すべり止めシート１の敷設場所の使用対面の材質（石、タイル、木製、プラスチック）を考慮して、吸盤の大きさや種類（例えば、大、中、小の３種類とするか、中と小の２種類とするか）や材質を適宜選択して用いる。
【００１１】
また、すべり止めシートの裏面１ｂに、中吸盤３の周囲から該中吸盤３内に至る経路、並びに大吸盤４の周囲から該大吸盤４内に至る経路に吸着解除用の溝６が形成されている。さらに、シートの表面には、接着により多数の粒子７が散設されることですべり止め面が形成されている。
【００１２】
図３は、すべり止めシート１を床面８に対して吸着させた状態を示す断面図である。大吸盤４、中吸盤３、小吸盤２を表面１ａから床面８に向けて押すと、各吸盤２，３，４の内気が抜け、床面８へ吸着する。この際、吸着突起体５も少ない吸着力を有する。小吸盤２及びその内側に形成された吸着突起体５の両者が吸着するので、濡れている部分が多い場所や水圧を受ける場所にあっても、十分な吸着効果を得ることができる。また、小吸盤２の外側に、小吸盤２と同心で中吸盤３が形成されているという多重吸盤構造により、さらに大きい吸着力を発揮することができる。また、大吸盤４の内側に中吸盤３を４個含んで形成されているという多重吸盤構造により、平坦な床面に対してより安定した吸着効果を得ることができる。
【００１３】
すべり止めシート１の表面１ａにおいては、吸着突起体５の突起部分が多数際立って露出すると共に、多数の粒子７が露出し、すべり止めの効果を発揮する。なお、吸着突起体５及び粒子７は、素足や素肌が接触する箇所に使用する場合には柔軟な材質を選択し、靴等による歩行面に使用する場合には硬質材を選択することが望ましい。
【００１４】
その他、すべり止めシート１を床面に吸着させた後、すべり止めシート１上にマットを敷くと、表面１ａに露出した吸着突起体５の突起部分並びに粒子７とによりマットのすべり止めがなされる。すべり止めシート１は薄いので、厚みが出てしまうことがなく、躓きの原因にならない。
【００１５】
すべり止めシート１を使用後剥がす時は、図４に点線で示すように、シートの隅から捲ると、吸盤に至る吸着解除用の溝６を通じて外気が吸盤に入ることになるので、吸着力が解除され、容易にシートを取り外すことができる。
【００１６】
次に、すべり止めシート１の変形使用例について述べる。すべり止めシート１を用途目的に加工する場合、シートの裁断位置は吸着を損なわないようにするため、縦方向並びに横方向において、小吸盤２及び吸着突起体５を切断しない位置を選ぶことが望ましい（図１のＣ−Ｃカット線、Ｃ′−Ｃ′カット線、Ｄ−Ｄカット線、Ｄ′−Ｄ′カット線を参照）。なお、シート裁断後に吸着力が落ちる場合には、吸着力が落ちた部位に適した吸盤金型をあてがって圧力熱を加えることで追加加工する。
【００１７】
図６はすべり止めシート１を浴槽型袋状に加工成形してなる浴槽カバー１０の斜視図である。浴槽カバー１０の使用にあたっては、図７に示すように、浴槽２０の内側及び縁部に敷き、カバーで覆って使用する。カバー裏面の吸盤を浴槽面に押し付け吸着させる。なお、浴槽内水圧により小吸盤２及び中吸盤３の吸着力は下がるが、小吸盤２及びその内側に形成された吸着突起体５の両者が吸着するので、濡れている部分が多い場所や水圧を受ける場所にあっても、十分な吸着効果を得ることができ、浴槽カバー１０のすべりを止める。また、表面の露出した吸着突起体５の突起部分並びに粒子７は入浴者のすべり止めのほか、カバーの腰部１０ｂは手の届かない背中の垢擦りに利用することができる。なお、浴槽カバー１０は水漏れしない袋状で防水可能とする。浴槽カバー１０を訪問介護用の浴槽と共に使用すると、使用顧客毎に入浴後に浴槽カバー１０を取り替えるだけでよく、浴槽の清掃消毒作業が不要になり、作業時間が省略できる。なお、浴槽２０からの浴槽カバー１０の取り外しは、前述と同様、吸着解除用の溝６を通じて外気が吸盤に入ることで吸着力が解除され、容易に浴槽カバー１０を取り外すことができる。
【図面の簡単な説明】
【００１８】
【図１】本考案のすべり止めシートの平面図である。
【図２】本考案のすべり止めシートを床面に対して載せた状態を示す断面図である。
【図３】本考案のすべり止めシートを床面に対して吸着させた状態を示す断面図である。
【図４】吸盤吸着状態を示す拡大断面図である。
【図５】吸盤剥離用の溝に交差する方向に破断して示す要部拡大断面図である。
【図６】本考案のすべり止めシートを浴槽型袋状に加工成形してなる浴槽カバーの斜視図である。
【図７】図６の浴槽カバーの使用状態を示す斜視図である。
【符号の説明】
【００１９】
１  すべり止めシート
１ａ  表面
１ｂ  裏面
２  第１の吸盤（小吸盤）
３  第２の吸盤（中吸盤）
４  第３の吸盤（大吸盤）
５  吸着突起体
６  溝
７  粒子
８  床面
１０  浴槽カバー
１０ａ  底部
１０ｂ  腰部
１０ｃ  縁部
１０ｄ  エプロン部
２０  浴槽
２０ａ  底部
２０ｂ  腰部
２０ｃ  縁部
２０ｄ  エプロン部
２０ｅ  給油管
２０ｆ  排水管
【図１】
0003116600.tif 000003
【図２】
0003116600.tif 000004
【図３】
0003116600.tif 000005
【図４】
0003116600.tif 000006
【図５】
0003116600.tif 000007
【図６】
0003116600.tif 000008
【図７】
0003116600.tif 000009